(57)【特許請求の範囲】
【請求項１】
プリンタであって、
所定の紙に売上情報を印刷する印刷部と、
前記売上情報が印刷された紙である売上伝票に、当該プリンタの外部から利用者が利用者情報を記入するために当該プリンタの筺体に開けられた窓部と、
前記利用者情報が記入された売上伝票から、該利用者情報を画像として読み取るスキャナ部と、
前記利用者情報が読み取られた売上伝票を、当該プリンタの外部へ排出する排出部と、
前記スキャナ部が読み取った画像を、当該プリンタと接続された上位装置へ送信する制御部と、
前記売上伝票を、前記印刷部から前記排出部まで搬送する搬送部と、
所定の指示を入力する入力部とを有し、
前記搬送部は、前記売上伝票が前記窓部の位置に搬送されてきてから前記入力部に前記指示が入力されるまでの間と、前記制御部が前記画像を送信してから前記上位装置から所定の信号が送信されてくるまでの間とにおいて、前記売上伝票の搬送を停止し、前記上位装置から第１の信号が送信されてきた場合、前記売上伝票を前記スキャナ部から前記排出部へ搬送し、前記上位装置から第２の信号が送信されてきた場合は、前記売上伝票を前記スキャナ部から前記窓部の位置へ搬送し戻すプリンタ。
【請求項２】
請求項１に記載のプリンタにおいて、
前記排出部は、前記売上伝票を切り離して排出することを特徴とするプリンタ。
【請求項３】
請求項１または請求項２に記載のプリンタにおいて、
前記印刷部は、当該プリンタに格納されたロール紙に印刷することを特徴とするプリンタ。
【請求項４】
請求項１乃至３のいずれか１項に記載のプリンタと、該プリンタと接続された上位装置とから構成される決済システムにおいて、
前記上位装置は、前記プリンタから送信されてきた画像を表示する表示部を有することを特徴とする決済システム。
【発明の詳細な説明】
【技術分野】
【０００１】
本発明は、売上伝票を出力するプリンタおよび決済システムに関する。
【背景技術】
【０００２】
一般的に、クレジットカードを用いて決済（カード決済）を行う場合、クレジットカード決済端末本体にて印刷されたカードブランド用売上伝票を、店員がカード会員である利用者に手渡し、当該利用者がカードブランド用売上伝票に署名をして店員へ返却する。
【０００３】
また、近年では、タッチパネル機能を備えたサイン入力手段を用いて、利用者が署名を行う技術が考えられている（例えば、特許文献１参照。）。
【先行技術文献】
【特許文献】
【０００４】
【特許文献１】特開平０９−２８２５３０号公報
【発明の概要】
【発明が解決しようとする課題】
【０００５】
しかしながら、カードブランド用売上伝票の受け渡しを行う場合、その受け渡しの作業に時間がかかってしまうという問題点がある。そのため、短時間で決済を完了させたいカード会員が、カードブランド用売上伝票の受け渡し作業が不要な現金決済を選択してしまう場合がある。
【０００６】
また、特許文献１に記載された技術においては、タッチパネル機能に障害が発生した場合、ペン入力手段に入力した署名情報が消滅してしまうおそれがある。
【０００７】
本発明の目的は、上述した課題を解決するプリンタおよび決済システムを提供することである。
【課題を解決するための手段】
【０００８】
本発明のプリンタは、
プリンタであって、
所定の紙に売上情報を印刷する印刷部と、
前記売上情報が印刷された紙である売上伝票に、当該プリンタの外部から利用者が利用者情報を記入するために当該プリンタの筺体に開けられた窓部と、
前記利用者情報が記入された売上伝票から、該利用者情報を画像として読み取るスキャナ部と、
前記利用者情報が読み取られた売上伝票を、当該プリンタの外部へ排出する排出部と、
前記スキャナ部が読み取った画像を、当該プリンタと接続された上位装置へ送信する制御部と、
前記売上伝票を、前記印刷部から前記排出部まで搬送する搬送部と、
所定の指示を入力する入力部とを有し、
前記搬送部は、前記売上伝票が前記窓部の位置に搬送されてきてから前記入力部に前記指示が入力されるまでの間と、前記制御部が前記画像を送信してから前記上位装置から所定の信号が送信されてくるまでの間とにおいて、前記売上伝票の搬送を停止するプリンタ。
【０００９】
また、本発明の決済システムは、
プリンタと、該プリンタと接続された上位装置とから構成される決済システムにおいて、
前記上位装置は、前記プリンタから送信されてきた画像を表示する表示部を有し、
前記プリンタは、
所定の紙に売上情報を印刷する印刷部と、
前記売上情報が印刷された紙である売上伝票に、当該プリンタの外部から利用者が利用者情報を記入するために当該プリンタの筺体に開けられた窓部と、
前記利用者情報が記入された売上伝票から、該利用者情報を画像として読み取るスキャナ部と、
前記利用者情報が読み取られた売上伝票を、当該プリンタの外部へ排出する排出部と、
前記スキャナ部が読み取った画像を、前記上位装置へ送信する制御部と、
前記売上伝票を、前記印刷部から前記排出部まで搬送する搬送部と、
所定の指示を入力する入力部とを有し、
前記搬送部は、前記売上伝票が前記窓部の位置に搬送されてきてから前記入力部に前記指示が入力されるまでの間と、前記制御部が前記画像を送信してから前記上位装置から所定の信号が送信されてくるまでの間とにおいて、前記売上伝票の搬送を停止することを特徴とする決済システム。
【発明の効果】
【００１０】
本発明においては、署名情報を消滅させることなく、短時間でカード決済を行うことができる。
【図面の簡単な説明】
【００１１】
【図１】本発明の決済システムの実施の一形態を示す図である。
【図２】図１に示したプリンタの内部構成の一例を示すブロック図である。
【図３】図１に示したプリンタの内部構造の一例を示す構造図である。
【図４】図１に示したプリンタの外観の一例を示す外観図である。
【図５】本形態における処理を説明するためのシーケンス図である。
【図６】ステップＳ７にて決済装置に表示された画像の一例を示す図である。
【発明を実施するための形態】
【００１２】
以下に、本発明の実施の形態について図面を参照して説明する。
【００１３】
図１は、本発明の決済システムの実施の一形態を示す図である。
【００１４】
本形態は図１に示すように、プリンタ１００と、決済装置２００とから構成されており、プリンタ１００と決済装置２００とが、伝送ケーブル３００を用いて接続されている。
【００１５】
プリンタ１００は、クレジットカード決済時に、カードブランド用売上伝票および利用者用売上伝票（以下、売上伝票）を印刷して排出する。
【００１６】
決済装置２００は、プリンタ１００の上位装置であり、外部接続ケーブル４００を介して、アクワイアラ（加盟店契約会社）と接続し、クレジットカード決済を行う。また、決済装置２００は、利用者の署名（サイン）の確認を行うための装置である。
【００１７】
図２は、図１に示したプリンタ１００の内部構成の一例を示すブロック図である。
【００１８】
図３は、図１に示したプリンタ１００の内部構造の一例を示す構造図である。
【００１９】
図１に示したプリンタ１００には図２に示すように、印刷部１１０と、スキャナ部１２０と、排出部１３０と、搬送部１４０と、入力部１５０と、制御部１６０とが設けられている。
【００２０】
また、図１に示したプリンタ１００には図３に示すように、窓部１７０が設けられている。
【００２１】
印刷部１１０は、図３に示したようにプリンタ１００に格納されたロール紙に売上情報を印刷する。この売上伝票に示す情報は、決済装置２００から送信されてきたカードブランド用売上伝票および利用者用売上伝票の情報である。また、このとき、サーマルヘッド１１１を用いて印刷を行う。
【００２２】
窓部１７０は、図３に示すように、印刷部１１０にて売上情報が印刷された売上伝票の所定の位置に、プリンタ１００の外部から利用者が利用者情報を記入するためにプリンタ１００の筺体に開けられた開口部である。この窓部１７０が設けられているため、プリンタ１００内部を搬送されている売上伝票の所定の位置に、利用者が手書きで署名をする（利用者情報を記入する）ことができる。
【００２３】
スキャナ部１２０は、利用者情報となる署名が記入された売上伝票が搬送されてくると、当該売上伝票から、利用者情報を画像として読み取る。また、スキャナ部１２０は、読み取った画像を制御部１６０へ出力する。
【００２４】
排出部１３０は、スキャナ部１２０で利用者情報が読み取られた売上伝票を、プリンタ１００の外部へ排出する。このとき、排出部１３０は、売上伝票をロール紙から切り離して排出する。
【００２５】
入力部１５０は、所定の指示を入力する。ここで、入力部１５０は、利用者が利用者情報を記入した後に、利用者情報の記入が完了したことを入力するために押下される確定キー（ボタン）である。
【００２６】
制御部１６０は、スキャナ部１２０から出力されてきた画像を、決済装置２００へ送信する。
【００２７】
搬送部１４０は、ローラーから構成され、ロール紙（売上伝票）を、印刷部１１０から排出部１３０まで搬送する。図３にて太線で示したものがロール紙の搬送経路を示すものである。また、搬送部１４０は、売上伝票が窓部１７０の位置に搬送されてきてから、入力部１５０に所定の指示が入力されるまでの間、売上伝票の搬送を停止する。また、搬送部１４０は、制御部１６０が画像を送信してから、決済装置２００から所定の信号が送信されてくるまでの間、売上伝票の搬送を停止する。
【００２８】
また、搬送部１４０は、決済装置２００から第１の信号が送信されてきた場合、売上伝票をスキャナ部１２０の位置から排出部１３０へ搬送する。また、搬送部１４０は、決済装置２００から第２の信号が送信されてきた場合は、売上伝票をスキャナ部１２０の位置から窓部１７０の位置へ搬送し戻す。この「第１の信号」および「第２の信号」については、後述する。
【００２９】
図４は、図１に示したプリンタ１００の外観の一例を示す外観図である。
【００３０】
図１に示したプリンタ１００の外観は図４に示すように、プリンタ１００の筺体の１つの面に、窓部１７０と入力部１５０とが配置されている。また、窓部１７０が開口部となっているため、利用者が、プリンタ１００の内部を搬送されている売上伝票１８０に示されたサイン記入箇所１８１（図４中、破線で囲った部分）にサイン（署名）を記入することができる構造となっている。また、入力部１５０は、「確定」等の表示がされ、利用者がサイン記入完了後に押下することができるボタン構造となっている。また、窓部１７０と入力部１５０とが配置されている面と垂直の面に排出部１３０が開口部となって設けられている。
【００３１】
以下に、本形態における処理について説明する。
【００３２】
図５は、本形態における処理を説明するためのシーケンス図である。なお、利用者が商品等を購入して、決済装置２００から売上伝票を示す情報がプリンタ１００へ送信されてくる処理は、一般的なものと同じであるため、ここではその後の処理について説明する。
【００３３】
決済装置２００から伝送ケーブル３００を介して送信されてきた情報に基づいて、印刷部１１０によって売上伝票がロール紙に印刷される（ステップＳ１）。このとき、カードブランド用売上伝票が先に印刷され、続いて、利用者用売上伝票が印刷される。
【００３４】
印刷後、搬送部１４０によって、売上伝票が窓部１７０の位置まで搬送される（ステップＳ２）。このとき、売上伝票のうちカードブランド用売上伝票に示されたサイン記入箇所が窓部１７０に含まれるような位置に売上伝票が搬送される。つまり、この位置は、カードブランド用売上伝票に示されたサイン記入箇所に、プリンタ１００の外部から利用者がサインを記入することが可能な位置である。
【００３５】
そして、利用者がサイン記入箇所に筆記具でサイン（署名）を記入する。
【００３６】
その後、入力部１５０が押下されたかどうかが制御部１６０によって判断される（ステップＳ３）。
【００３７】
入力部１５０が押下されていない場合、搬送部１４０による売上伝票の搬送は再開されない。
【００３８】
また、入力部１５０が押下された場合、搬送部１４０による売上伝票の搬送が再開され、搬送部１４０によって当該売上伝票がスキャナ部１２０の位置まで搬送される（ステップＳ４）。具体的には、売上伝票のうちのカードブランド用売上伝票に示されたサイン記入箇所がスキャナ部１２０で読み取ることができる位置へ、売上伝票が搬送される。
【００３９】
すると、スキャナ部１２０によって、売上伝票のうちのカードブランド用売上伝票に示されたサイン記入箇所に記入されたサイン（署名）が画像として読み取られる（ステップＳ５）。
【００４０】
読み取られた画像は、スキャナ部１２０から制御部１６０へ出力され、制御部１６０から伝送ケーブル３００を介して決済装置２００へ送信される（ステップＳ６）。
【００４１】
プリンタ１００から送信された画像が決済装置２００にて受信されると、当該画像が決済装置２００にて表示される（ステップＳ７）。
【００４２】
図６は、ステップＳ７にて決済装置２００に表示された画像の一例を示す図である。
【００４３】
図６に示すように、プリンタ１００から送信されてきたサイン画像が、決済装置２００に設けられている表示部２１０に表示される。表示部２１０に表示されたサインは、利用者がプリンタ１００の窓部１７０から露出している売上伝票のサイン記入箇所に記入し、スキャナ部１２０で読み取られたものである。
【００４４】
そして、表示部２１０に表示されているサインと、クレジットカード裏面に記入されているサインとの照合を、加盟店の店員が目視にて行う。
【００４５】
その後、入力部２２０が押下されたかどうかが決済装置２００にて判断される（ステップＳ８）。この入力部２２０は図６に示すように、「ＯＫ」および「ＮＧ」が表示された確定キー等であり、店員が、表示部２１０に表示されているサインと、クレジットカード裏面に記入されているサインとが同じものであるか否かを入力する入力ボタンである。店員が、表示部２１０に表示されているサインと、クレジットカード裏面に記入されているサインとが同じものであると判断した場合、入力部２２０の「ＯＫ」が押下される。また、店員が、表示部２１０に表示されているサインと、クレジットカード裏面に記入されているサインとが同じものではないと判断した場合、入力部２２０の「ＮＧ」が押下される。
【００４６】
入力部２２０が押下された場合、入力部２２０のボタンに応じた信号が決済装置２００から伝送ケーブル３００を介してプリンタ１００へ送信される（ステップＳ９）。ここで、「ＯＫ」が押下された場合、決済装置２００からプリンタ１００へ第１の信号が送信される。また、「ＮＧ」が押下された場合、決済装置２００からプリンタ１００へ第２の信号が送信される。この第１の信号は、サインの照合結果が一致した旨をプリンタ１００にて認識することができるものであれば良い。また、この第２の信号は、サインの照合結果が一致しなかった旨をプリンタ１００にて認識することができるものであれば良い。
【００４７】
すると、決済装置２００から送信されてきた信号に基づいて、搬送部１４０によって売上伝票が搬送され、排出部１３０から排出される（ステップＳ１０）。
【００４８】
具体的には、決済装置２００から第１の信号が送信されてきた場合、搬送部１４０によって、売上伝票の搬送が再開され、売上伝票がスキャナ部１２０の位置から排出部１３０へ搬送され、排出部１３０から排出される。このとき、売上伝票のうち、カードブランド用売上伝票が先に排出され、続いて、利用者用売上伝票が排出される。また、排出される際、それぞれの伝票は図示しない切断手段によって切り離される。
【００４９】
一方、決済装置２００から第２の信号が送信されてきた場合、搬送部１４０によって、売上伝票の搬送が再開され、売上伝票がスキャナ部１２０の位置から窓部１７０の位置へ搬送し戻される。つまり、搬送部１４０によって、売上伝票のうちカードブランド用売上伝票に示されたサイン記入箇所が窓部１７０に含まれるような位置に売上伝票が搬送し戻される。
【００５０】
また、決済装置２００の代わりにクレジットカード決済機能付きＰＯＳ（販売時点管理システム）を、プリンタ１００と接続するものであっても良い。
【００５１】
上述したような本発明においては、以下のような効果を奏する。
【００５２】
第１の効果は、カード会員側に置いたサイン読取機能付きのプリンタ１００にて、利用者にサインを記入してもらうカードブランド用売上伝票を印刷しているため、カードブランド用売上伝票を店員がカード会員である利用者に渡す手間が省けることである。
【００５３】
第２の効果は、カード会員である利用者が記入したサインを、サイン読取機能付きのプリンタ１００で読み取り、決済装置２００の表示部２１０に表示するため、店員は、カード会員のサインを記入したカードブランド用売上伝票を受け取らず、確認ができることである。
【００５４】
第３の効果は、タッチパネル・タッチパッドなどの電子部材にサインを記入する方式とは異なり、ロール紙にサインを記入するため、装置故障が発生した場合においても、記入したサインを残すことができることである。
【符号の説明】
【００５５】
１００    プリンタ
１１０    印刷部
１１１    サーマルヘッド
１２０    スキャナ部
１３０    排出部
１４０    搬送部
１５０，２２０    入力部
１６０    制御部
１７０    窓部
１８０    売上伝票
１８１    サイン記入箇所
２００    決済装置
２１０    表示部
３００    伝送ケーブル
４００    外部接続ケーブル
【図１】
0005424360.tif 000002
【図２】
0005424360.tif 000003
【図３】
0005424360.tif 000004
【図４】
0005424360.tif 000005
【図５】
0005424360.tif 000006
【図６】
0005424360.tif 000007